(57)【特許請求の範囲】
【請求項１】
組み立てられた複数個の建物ユニットの上部に屋根ユニットが取り付けられて成るユニット建物である建物内に、蓄電池が格納された密閉容器が設けられ、
前記屋根ユニット内には、屋根裏換気を行う屋根裏換気空間が形成され、
前記屋根ユニットの軒部には、換気用の空気を給気する側の換気口と、換気用の空気を排気する側の換気口と、が設けられ、
前記密閉容器に形成された通気孔と、前記屋根裏換気空間に面して設けられた排気口との間が気密性の通気経路で連通され、
前記通気経路は、管状部材で形成され、前記建物ユニット間の隙間を利用して前記建物の上方に向かって配設されていることを特徴とする蓄電池設置構造。
【請求項２】
組み立てられた複数個の建物ユニットの上部に屋根ユニットが取り付けられて成るユニット建物である建物内に、蓄電池が格納された密閉容器が設けられ、
前記屋根ユニット内には、屋根裏換気を行う屋根裏換気空間が形成され、
前記屋根ユニットの軒部には、換気用の空気を給気する側の換気口と、換気用の空気を排気する側の換気口と、が設けられ、
前記密閉容器に形成された通気孔と、前記屋根裏換気空間に面して設けられた排気口との間が気密性の通気経路で連通され、
前記通気経路は、管状部材で形成され、前記建物の外壁内の通気層を利用して前記建物の上方に向かって配設されていることを特徴とする蓄電池設置構造。
【請求項３】
組み立てられた複数個の建物ユニットの上部に屋根ユニットが取り付けられて成るユニット建物である建物内に、蓄電池が格納された密閉容器が設けられ、
前記屋根ユニット内には、屋根裏換気を行う屋根裏換気空間が形成され、
前記屋根ユニットの軒部には、換気用の空気を給気する側の換気口と、換気用の空気を排気する側の換気口と、が設けられ、
前記密閉容器に形成された通気孔と、前記屋根裏換気空間に面して設けられた排気口との間が気密性の通気経路で連通され、
前記通気経路は、管状部材で形成され、前記建物に設けた隠蔽スペース内で前記建物の上方に向かって配設されていることを特徴とする蓄電池設置構造。
【請求項４】
前記排気口に網目状部材が設けられていることを特徴とする請求項１から請求項３までのいずれか１項に記載の蓄電池設置構造。
【発明の詳細な説明】
【技術分野】
【０００１】
本発明は、建物内に蓄電池を設置するための蓄電池設置構造に関するものである。
【背景技術】
【０００２】
従来から、建物内に蓄電池を設置し、万一の異常時に発生するガスを屋外空間へ放出する構成とされた蓄電池設置構造について、特許文献１等に開示されている。
【０００３】
特許文献１に開示された蓄電池設置構造によれば、蓄電池から放出されるガスを、建物の屋外空間又は室外空間に排出して、安全性を確保することができるうえに、蓄電池用のパワーコンディショナ等の隠蔽手段により排気口を隠して、意匠的美観を良くし、雨が吹き込んだり、積雪や悪戯等により、排気口が塞がれたりしてしまうおそれも低減することができる。
【先行技術文献】
【特許文献】
【０００４】
【特許文献１】特許第５５５９９１５号公報
【発明の概要】
【発明が解決しようとする課題】
【０００５】
しかしながら、特許文献１に開示された蓄電池設置構造では、例えば、建物の２階以上の階に蓄電池を設置した場合など、建物内の蓄電池の設置位置によって、蓄電池を格納した密閉容器から蓄電池用のパワーコンディショナ等の排気口の隠蔽手段となるものまでの通気経路を形成し難い場合がある。
【０００６】
そこで、本発明は、蓄電池から放出されるガスを、建物の屋外空間に排出して、安全性を確保することができるうえに、蓄電池用のパワーコンディショナ等の隠蔽手段により排気口を隠して、意匠的美観を良くし、雨が吹き込んだり、積雪や悪戯等により、排気口が塞がれたりしてしまうおそれも低減することができるのは勿論、建物内の蓄電池の設置位置に左右されずに、密閉容器に格納した蓄電池から排気口までの通気経路を容易に形成することができる蓄電池設置構造を提供することを目的としている。
【課題を解決するための手段】
【０００７】
前記目的を達成するために、本発明の蓄電池設置構造は、建物内に、蓄電池が格納された密閉容器が設けられ、前記密閉容器に形成された通気孔と、前記建物の屋根裏換気空間に面して設けられた排気口との間が気密性の通気経路で連通されていることを特徴とする。
【０００８】
ここで、前記通気経路は、管状部材で形成されているとよい。
【０００９】
また、前記建物は、複数個の建物ユニットから成るユニット建物であり、前記建物ユニット間の隙間を利用して、前記通気経路が形成されていてもよい。
【００１０】
さらに、前記建物の外壁内の通気層を利用して、前記通気経路が形成されていてもよい。
【００１１】
また、前記建物に設けた隠蔽スペース内に、前記通気経路が形成されていてもよい。
【００１２】
さらに、前記排気口に網目状部材が設けられているとよい。
【発明の効果】
【００１３】
このような本発明の蓄電池設置構造は、建物内に、蓄電池が格納された密閉容器が設けられ、密閉容器に形成された通気孔と、建物の屋根裏換気空間に面して設けられた排気口との間が気密性の通気経路で連通された構成とされている。
【００１４】
上記した構成なので、蓄電池から放出されるガスを、気密性の通気経路を通して排気口から、屋根裏換気空間を介して、建物の屋外空間に排出して、安全性を確保することができる。
【００１５】
また、蓄電池は密閉容器に格納されているので、排出ファン等の強制排気手段を用いなくても、ガスが蓄電池から放出されると、密閉容器内の内圧が上がり、ガスが通気経路から排気口へと流れるため、ガスを自然排気することができる。
【００１６】
そのうえ、排気口は、屋根裏換気空間に面して設けられているので、通気経路は、建物の上方に向かって形成すればよく、建物内の蓄電池の設置位置に左右されずに、密閉容器に格納した蓄電池から排気口までの通気経路を容易に形成することができる。
【００１７】
ここで、通気経路は、管状部材で形成されている場合は、密閉容器の通気孔と排気口との間に管状部材を配設するだけで、気密性の通気経路を形成することができる。
【００１８】
また、建物は、複数個の建物ユニットから成るユニット建物であり、建物ユニット間の隙間を利用して、通気経路が形成されている場合は、ユニット建物を構成する建物ユニット間に有る隙間を、通気経路を形成するのに有効利用することができる。
【００１９】
さらに、建物の外壁内の通気層を利用して、通気経路が形成されている場合は、建物の外壁内の通気層を、通気経路を形成するのに有効利用することができる。
【００２０】
また、建物に設けた隠蔽スペース内に、通気経路が形成されている場合は、建物内の美観を損ねることなく、所望の箇所に、通気経路を形成することができる。
【００２１】
さらに、排気口に網目状部材が設けられている場合は、排気口からの虫や小動物等の異物の侵入を防止することができる。
【図面の簡単な説明】
【００２２】
【図１】実施例１の蓄電池設置構造を備えた建物の概略構成を説明する説明図である。
【図２】実施例１の蓄電池設置構造に用いられる管状部材の排気口の部分を拡大して示す図である。
【図３】実施例２の蓄電池設置構造を備えた建物の概略構成を説明する説明図である。
【図４】実施例３の蓄電池設置構造を備えた建物の概略構成を説明する説明図である。
【図５】実施例４の蓄電池設置構造を備えた建物の概略構成を説明する説明図である。
【発明を実施するための形態】
【００２３】
以下、本発明を実施するための形態を、図面に示す実施例１〜４に基づいて説明する。
【実施例１】
【００２４】
先ず、実施例１の構成について説明する。
【００２５】
図１は、実施例１の蓄電池設置構造を備えた建物としてのユニット建物１の概略構成を示している。
【００２６】
まず、このユニット建物１は、地盤に打設された建物基礎１Ｂの上に建物本体１Ａが構築されて成る。
【００２７】
具体的には、建物本体１Ａは、複数個の建物ユニット１Ｕ，・・・を組み立てて、周囲に外壁１Ｇを取り付け、上部に屋根ユニット１Ｙを取り付けて成る。
【００２８】
ここで、屋根ユニット１Ｙの軒部には、換気用の空気を給気する側の換気口Ｅ１と、換気用の空気を排気する側の換気口Ｅ２とが設けられており、屋根ユニット１Ｙ内には、屋根裏換気を行う屋根裏換気空間２が形成されている。
【００２９】
そして、この実施例１の蓄電池設置構造では、２階の左側の建物ユニット１Ｕ内の右隅に、蓄電池３が格納された密閉容器４が設けられている。
【００３０】
この密閉容器４に形成された図示省略の通気孔から建物ユニット１Ｕ，１Ｕ間の隙間を通して、屋根裏換気空間２まで、先端に排気口５ａを有する管状部材５が配設されて気密性の通気経路が形成されている。
【００３１】
なお、管状部材５の先端の排気口５ａは、図２に示したように、網目状部材５１で覆った状態で、根元を結束バンド５２で締め付けて固定されている。
【００３２】
また、建物本体１Ａの左側の外壁１Ｇには、蓄電池３用のパワーコンディショナ６が設置されており、蓄電池３とパワーコンディショナ６との間は、建物ユニット１Ｕと外壁１Ｇとの間の隙間と建物ユニット１Ｕ，１Ｕ間の隙間を通して配設された配線７により接続されている。
【００３３】
次に、実施例１の作用効果について説明する。
【００３４】
このような実施例１の蓄電池設置構造は、建物としてのユニット建物１内に、蓄電池３が格納された密閉容器４が設けられ、密閉容器４に形成された通気孔と、ユニット建物１の屋根裏換気空間２に面して設けられた排気口５ａとの間が気密性の通気経路としての管状部材５で連通された構成とされている。
【００３５】
上記した構成なので、蓄電池３から放出されるガスを、気密性の通気経路としての管状部材５を通して排気口５ａから、屋根裏換気空間２を介して、ユニット建物１の屋外空間に排出して、安全性を確保することができる。
【００３６】
また、蓄電池３は密閉容器４に格納されているので、排出ファン等の強制排気手段を用いなくても、ガスが蓄電池３から放出されると、密閉容器４内の内圧が上がり、ガスが通気経路としての管状部材５から排気口５ａへと流れるため、ガスを自然排気することができる。
【００３７】
そのうえ、排気口５ａは、屋根裏換気空間２に面して設けられているので、通気経路としての管状部材５は、ユニット建物１の上方に向かって配設すればよく、ユニット建物１内の蓄電池３の設置位置に左右されずに、密閉容器４に格納した蓄電池３から排気口５ａまでの通気経路としての管状部材５を容易に配設することができる。
【００３８】
ここで、通気経路は、管状部材５で形成されている。
【００３９】
このため、密閉容器４の通気孔と排気口５ａとの間に管状部材５を配設するだけで、気密性の通気経路を形成することができる。
【００４０】
また、建物は、複数個の建物ユニット１Ｕ，・・・から成るユニット建物１であり、建物ユニット１Ｕ，１Ｕ間の隙間を利用して、通気経路としての管状部材５が配設されている。
【００４１】
このため、ユニット建物１を構成する建物ユニット１Ｕ，１Ｕ間に有る隙間を、通気経路としての管状部材５を配設するのに有効利用することができる。
【００４２】
さらに、通気経路としての管状部材５の排気口５ａに網目状部材５１が設けられている。
【００４３】
このため、排気口５ａからの虫や小動物等の異物の侵入を防止することができる。
【実施例２】
【００４４】
次に、実施例２について説明する。
【００４５】
なお、実施例１で説明した内容と同一乃至均等な部分の説明については同一符号を付して説明する。
【００４６】
図３は、実施例２の蓄電池設置構造を備えた建物１の概略構成を示している。
【００４７】
この実施例２の蓄電池設置構造では、２階の左側の建物ユニット１Ｕ内の左隅に、蓄電池３が格納された密閉容器４が設けられており、外壁１Ｇ内の通気層を通して、通気経路としての管状部材５が配設されていることが実施例１の蓄電池設置構造と主に異なる。
【００４８】
このため、建物としてのユニット建物１の外壁１Ｇ内の通気層を、通気経路としての管状部材５を配設するのに有効利用することができる。
【００４９】
さらに、通気経路としての管状部材５の排気口５ａが、換気用の空気を排気する側の換気口Ｅ２の近傍に設けられているので、蓄電池３から放出されるガスを、ユニット建物１の屋外空間に、即座に排出することができる。
【００５０】
なお、他の構成及び作用効果については、実施例１と略同様であるので説明を省略する。
【実施例３】
【００５１】
次に、実施例３について説明する。
【００５２】
なお、実施例１で説明した内容と同一乃至均等な部分の説明については同一符号を付して説明する。
【００５３】
図４は、実施例３の蓄電池設置構造を備えた建物１の概略構成を示している。
【００５４】
この実施例３の蓄電池設置構造では、建物ユニット１Ｕ内に、化粧材８により、隠蔽スペースとしてのパイプスペース８０を形成し、このパイプスペース８０内を通して、通気経路としての管状部材５が配設されていることが実施例１の蓄電池設置構造と主に異なる。
【００５５】
このため、建物としてのユニット建物１内の美観を損ねることなく、所望の箇所に、通気経路としての管状部材５を配設することができるうえに、工場等で、建物ユニット１Ｕに化粧材８を取り付けて、隠蔽スペースとしてのパイプスペース８０を予め設けておくこともできる。
【００５６】
なお、他の構成及び作用効果については、実施例１と略同様であるので説明を省略する。
【実施例４】
【００５７】
次に、実施例４について説明する。
【００５８】
なお、実施例１で説明した内容と同一乃至均等な部分の説明については同一符号を付して説明する。
【００５９】
図５は、実施例４の蓄電池設置構造を備えた建物１の概略構成を示している。
【００６０】
この実施例４の蓄電池設置構造では、建物としてのユニット建物１が、母屋１０の部分と下屋１１の部分とから成り、母屋１０側の２階の建物ユニット１Ｕ内の左隅に、蓄電池３が格納された密閉容器４が設けられており、下屋１１側の外壁１Ｇに、蓄電池３用のパワーコンディショナ６が設置されていることが実施例１の蓄電池設置構造と主に異なる。
【００６１】
このように、蓄電池３用のパワーコンディショナ６が設置される位置が特殊な場合も、本発明を実施することができる。
【００６２】
なお、他の構成及び作用効果については、実施例１と略同様であるので説明を省略する。
【００６３】
以上、図面を参照して、本発明を実施するための形態を実施例１〜４に基づいて詳述してきたが、具体的な構成は、これら実施例１〜４に限らず、本発明の要旨を逸脱しない程度の設計的変更は、本発明に含まれる。
【００６４】
例えば、上記した実施例１〜４では、建物を、複数個の建物ユニット１Ｕ，・・・から成るユニット建物１として実施したが、これに限定されず、通常の軸組建物等の他の建物で実施してもよい。
【００６５】
また、上記した実施例１〜４では、蓄電池３を格納した密閉容器４を２階に設けて実施したが、これに限定されず、１階に設けて実施してもよいし、他の階が有る場合には、それらの階に設けて実施してもよい。
【００６６】
また、上記した実施例１〜４では、管状部材５の排気口５ａに網目状部材５１を設けて実施したが、これに限定されず、網目状部材５１に替えて、圧力上昇によって開く弁部材を設けて実施してもよい。
【符号の説明】
【００６７】
１      ユニット建物（建物）
１Ａ    建物本体
１Ｂ    建物基礎
１Ｇ    外壁
１Ｕ    建物ユニット
１Ｙ    屋根ユニット
１０    母屋
１１    下屋
２      屋根裏換気空間
Ｅ１    換気口（給気側）
Ｅ２    換気口（排気側）
３      蓄電池
４      密閉容器
５      管状部材（通気経路）
５ａ    排気口
５１    網目状部材
５２    結束バンド
６      パワーコンディショナ
７      配線
８      化粧材
８０    パイプスペース（隠蔽スペース）
【図１】
0006434797.tif 000002
【図２】
0006434797.tif 000003
【図３】
0006434797.tif 000004
【図４】
0006434797.tif 000005
【図５】
0006434797.tif 000006